(57)【要約】【課題】設置スペースが必要なく、衛生的な簡易トイレを提供することを目的とする。【解決手段】簡易トイレ１は、ヒト又は動物の排泄物を収容する簡易トイレであって、排泄物を収容する収容・保存容器１０と、収容・保存容器１０の上端に一端が接続され、筒状の柔軟性を有する素材で形成された折り返し部２０と、を備え、収容・保存容器１０の上端は、ヒト又は動物の排泄口近傍の体の形状に沿った曲線で形成され、排泄物を収容するときには、折り返し部２０の他端側を収容・保存容器１０の底側に移動させ、収容・保存容器１０でヒト又は動物の排泄口を覆い、収容・保存容器１０の上端を、ヒト又は動物の排泄口近傍の体に密着させる。【選択図】図１
2016013235.tif 000002
【特許請求の範囲】
【請求項１】
ヒト又は動物の排泄物を収容する簡易トイレであって、
排泄物を収容する収容・保存容器と、
収容・保存容器の上端に一端が接続され、筒状の柔軟性を有する素材で形成された折り返し部と、を備え、
収容・保存容器の上端は、ヒト又は動物の排泄口近傍の体の形状に沿った曲線で形成され、
排泄物を収容するときには、折り返し部の他端側を収容・保存容器の底側に移動させ、収容・保存容器でヒト又は動物の排泄口を覆い、収容・保存容器の上端を、ヒト又は動物の排泄口近傍の体に密着させる簡易トイレ。
【請求項２】
折り返し部は、折り返して、収容・保存容器本体に留めつけることのできる請求項１に記載の簡易トイレ。
【請求項３】
前記簡易トイレの排泄物を収容する収容・保存容器折り返し部の裏面に設けられた紙又は不織布で形成された拭き取り部を更に備え、
拭き取り部は、収容・保存容器内に排泄物収容後は、収容・保存容器折り返し部の裏面に接着したまま、または剥離して尿道・肛門または汚れた部分の拭き取りに用いられる請求項１又は２に記載の簡易トイレ。
【発明の詳細な説明】
【技術分野】
【０００１】
この発明は、簡易トイレに関し、より詳しくは、排泄物を収容する携帯折りたたみ可能な簡易トイレに関する。
【背景技術】
【０００２】
従来、簡易トイレのうち、簡易トイレ特に排泄物を収容する容器は、紙容器本体によって形成されている。
【０００３】
例えば、特許文献１には、開口部を有する箱体に装着され、箱体に挿入される収容袋を備える簡易トイレが提案されている。
【先行技術文献】
【特許文献】
【０００４】
【特許文献１】特開２００５−４６３３９号公報
【発明の概要】
【発明が解決しようとする課題】
【０００５】
しかしながら、特許文献１に記載された簡易トイレは、箱型簡易トイレのため、組立ての時間と手間を要する、広範な設置スペースを確保しなければならない、大型で保管スペースを必要とするため、緊急・災害時保管場所からの搬出・移動・組立が困難で現実的ではないなどの課題があった。
本発明は、設置スペースが必要なく、衛生的な簡易トイレを提供することを目的とする。
【課題を解決するための手段】
【０００６】
（１）ヒト又は動物の排泄物を収容する簡易トイレであって、排泄物を収容する収容・保存容器と、収容・保存容器の上端に一端が接続され、筒状の柔軟性を有する素材で形成された折り返し部と、を備え、収容・保存容器の上端は、ヒト又は動物の排泄口近傍の体の形状に沿った曲線で形成され、排泄物を収容するときには、折り返し部の他端側を収容・保存容器の底側に移動させ、収容・保存容器でヒト又は動物の排泄口を覆い、収容・保存容器の上端を、ヒト又は動物の排泄口近傍の体に密着させる簡易トイレ。
【０００７】
（１）の構成によれば、ヒト又は動物の排泄物を収容する簡易トイレであって、排泄物を収容する収容・保存容器と、収容・保存容器の上端に一端が接続され、筒状の柔軟性を有する素材で形成された折り返し部と、を備える。
【０００８】
また（１）の構成によれば、収容・保存容器の上端は、ヒト又は動物の排泄口近傍の体の形状に沿った曲線で形成され、排泄物を収容するときには、折り返し部の他端側を収容・保存容器の底側に移動させ、収容・保存容器でヒト又は動物の排泄口を覆い、収容・保存容器の上端を、ヒト又は動物の排泄口近傍の体に密着させて使用する。
【０００９】
また（１）の構成によれば、簡易トイレは一回使用毎に封緘・密閉することができる。これにより、収容・保存用器開口部周辺に被収容物が付着、被収容物の漏出による感染症を防ぐことができる。
【００１０】
したがって、設置スペースが必要なく、衛生的な簡易トイレを提供できる。
【００１１】
さらに（１）の構成によれば、簡易トイレ本体は、飲食・食品業界等検便の義務づけられている業種の検体採取も可能で、国内だけでなく途上国等近隣に検査機関のない地域でも、検体を採取・収容して検査機関へ輸送することができる。
【００１２】
折り返し部は、折り返して、収容・保存容器本体に留めつけることのできる請求項１に記載の簡易トイレ。
【００１３】
（２）の構成によれば、簡易トイレの収容・保存容器上端に一端が接続され、筒状の柔軟性を有する素材で形成された折り返し部を、例えば、ねじる、寄せるなどして、排泄物の漏出を防ぎ、例えば、簡易トイレ本体側面に付属するタブ状の受け、滑り止め加工の素材を使用したバックル状の留め具などに留めつけることができる。
【００１４】
（３）前記簡易トイレの排泄物を収容する収容・保存容器折り返し部の裏面に設けられた紙又は不織布で形成された拭き取り部を更に備え、
拭き取り部は、収容・保存容器内に排泄物収容後は、収容・保存容器折り返し部の裏面に接着したまま、または剥離して尿道・肛門または汚れた部分の拭き取りに用いられる（１）又は（２）に記載の簡易トイレ。
【００１５】
（３）の構成によれば、収容・保存容器折り返し部の裏面に接着させる紙・不織布であって、収容・保存容器内に被収容物充填後は、収容・保存容器折り返し部の裏面に接着したまま、または剥離して汚れた部分を拭くことができる。
【発明の効果】
【００１６】
本発明によれば、設置スペースが必要なく、衛生的な簡易トイレを提供できる。
【図面の簡単な説明】
【００１７】
【図１】本発明の実施形態に係る折り返し袋部の使用状態を示す図である。
【図２】本発明の実施形態に係る袋部上端封緘時の使用状態を示す図である。
【図３】本発明の実施形態に係る折り返し袋部をねじった使用状態を示す図である。
【図４】本発明の実施形態に係る袋部上端を折り曲げた使用状態を示す図である。
【図５】本発明の実施形態に係る袋部上端折り曲げ部が簡易トイレ本体付属のタブ部と係合した使用状態を示す図である。
【図６】本発明の実施形態に係る寄せあわせ部の使用状態を示す図である。
【図７】本発明の実施形態に係る寄せあわせ部が簡易トイレ本体付属の留め具と係合した使用状態を示す図である。
【図８】本発明の実施形態に係る封筒型封緘部開口時の使用状態を示す図である。
【発明を実施するための形態】
【００１８】
本発明の実施形態に係る簡易トイレの構成について説明する。
図1は、本発明の実施形態に係る折り返し袋部の使用状態を示す図である。
図2は、本発明の実施形態に係る袋部上端封緘時の使用状態を示す図である。
図３は、本発明の実施形態に係る折り返し袋部をねじった使用状態を示す図である。
図４は、本発明の実施形態に係る袋部上端を折り曲げた使用状態を示す図である。
図５は、本発明の実施形態に係る袋部上端折り曲げ部が簡易トイレ本体付属のタブ部と係合した使用状態を示す図である。
図６は、本発明の実施形態に係る寄せあわせ部の使用状態を示す図である。
図７は、本発明の実施形態に係る寄せあわせ部が簡易トイレ本体付属の留め具と係合した使用状態を示す図である。
図８は、本発明の実施形態に係る封筒型封緘部開口時の使用状態を示す図であ
る。
【００１９】
簡易トイレ１は、ヒト又は動物の排泄物を収容する簡易トイレであって、排泄物を収容する収容・保存容器１０と、収容・保存容器１０の上端に一端が接続され、筒状の柔軟性を有する素材で形成された折り返し袋部２０と、拭きとり部３０と、を備える。
【００２０】
収容・保存容器１０は、上方が解放された器形状に形成され、おりたたみ線１１と、太腿付け根用欠き込み１２と、排泄口近傍用欠き込み１３と、タブ部１５と、タブ部奥側１６と、タブ部手前側１７と、タブ部係合部１８と、簡易トイレ使用図１９と、を備える。
【００２１】
おりたたみ線１１は、収容・保存容器１０を折りたたむ際のガイド線である。おりたたみ線１１に沿って折りたたむことで、収納スペースを削減し、携帯することもできる。
【００２２】
太腿付け根用欠き込み１２は、収容・保存容器１０の上端において、ヒト又は動物の太腿付け根近傍の形状に沿うような曲線で形成されている。
【００２３】
排泄口近傍用欠き込み１３は、収容・保存容器１０の上端において、ヒト又は動物の排泄口近傍の体の形状に沿った曲線で形成されている。
【００２４】
太腿付け根用欠き込み１２と、排泄口近傍用欠き込み１３とはそれぞれ対向する他端側に同様の形状の欠き込みを有する。
【００２５】
太腿付け根用欠き込み１２と排泄口近傍用欠き込み１３は、収容・保存容器１０でヒト又は動物の排泄口を覆う際、収容・保存容器１０をヒト又は動物の排泄口近傍の体に密着させて使用するために設けられている。
【００２６】
太腿付け根用欠き込み１２と排泄口近傍用欠き込み１３を設けることで、特には女性が尿を排泄する際に、尿のとびだし、とびはねを防止することができる。これにより、ビニール袋のように開口部が自在に変形してしまうものよりも排泄物の収容が確実なものとなる。
【００２７】
また、性別を問わず大便を排泄する際にも、体に沿った形状の欠き込みがあることで、収容・保存容器１０への排泄物の収容をより確実なものとすることができる。
【００２８】
タブ部１５は、折り返し袋部２０の折り曲げ部を収容・保存容器１０の側面にとめつける際の受け用タブである。タブ部１５は、その表面に、タブ部奥側１６とタブ部手前側１７とタブ部係合部１８と、を備える。
【００２９】
タブ部奥側１６は、タブ部１５の奥側、収容・保存容器１０に接する一辺である。タブ部１５に折り返し袋部２０の折り曲げ部をとめつける際、折り返し袋部２０の折り曲げ部奥側との接線上で重なる。
【００３０】
タブ部手前側１７は、タブ部１５の手前側、タブ部奥側１６と対向する一辺である。タブ部１５に折り返し袋部２０の折り曲げ部をとめつける際、折り返し袋部２０の折り曲げ部手前側との接線上で重なる。
【００３１】
タブ部係合部１８は、タブ部１５の表面に設けられた封緘部である。タブ部係合部１８には、ビニールファスナー・チャックのような係合するもの、または接着・粘着する素材を使用することもできる。タブ部係合部１８は、１ヶ所または複数ヶ所設けることができる。
【００３２】
簡易トイレ使用図１９は、簡易トイレ１の使用方法を示す図である。簡易トイレ使用図１９は、収容・保存容器１０の側面、または折り返し袋部２０の側面に設けられている。簡易トイレ使用図１９は、平易な構造特性をわかりやすく示す図であるため、別紙による説明書の添付が不要となる。これにより緊急時に複雑な説明書を読むことなく、簡易トイレ１を使用することができる。
【００３３】
簡易トイレ使用図１９は、その簡単な図解だけで誰でも使用方法を理解できるため、識字率の低い地域においても簡易トイレ１の使用が可能となる。
【００３４】
折り返し袋部２０は、袋部上端２１と、封緘部２２と、上端折り曲げ部２３と、上端折り曲げ部奥側２４と、上端折り曲げ部手前側２５と、上端折り曲げ部係合部２６と、を備える。折り返し袋部２０は、折り返して、収容・保存容器１０に留めつけることもできる。
【００３５】
袋部上端２１は、折り返し袋部２０の上端開口部である。
【００３６】
封緘部２２は、袋部上端２１の内側に設けられている。ビニールファスナー・チャックのような係合するもの、または接着・粘着する素材を使用することもできる。封緘部２２は１ヶ所または複数ヶ所設けることができる。
【００３７】
上端折り曲げ部２３は、袋部上端２１を折り曲げたものである。
【００３８】
上端折り曲げ部奥側２４は、上端折り曲げ部２３の奥側、折り返し袋部２０に接する一辺である。上端折り曲げ部２３とタブ部１５をとめつける際、タブ部奥側１６との接線上で重なる。
【００３９】
上端折り曲げ部手前側２５は、上端折り曲げ部２３の手前側、上端折り曲げ部奥側２４に対向する一辺である。上端折り曲げ部２３とタブ部１５をとめつける際、タブ部手前側１７との接線上で重なる。
【００４０】
上端折り曲げ部係合部２６は、上端折り曲げ部２３の表面に設けられた封緘部である。上端折り曲げ部係合部２６には、ビニールファスナー・チャックのような係合するもの、または接着・粘着する素材を使用することもできる。上端折り曲げ部係合部２６は、１ヶ所または複数ヶ所設けることができる。
【００４１】
簡易トイレ１の使用時、排泄物を収容する際、折り返し袋部２０の他端側を、収容・保存容器１０の底側に移動させる。収容・保存容器１０を握った手を、折り返し袋部２０で覆うことで、手を汚さずに排泄することができる。
【００４２】
簡易トイレ1の使用時、排泄の際、折り返し袋部２０の他端側を、収容・保存容器１０の底側に移動させることで、袋部上端２１と、封緘部２２とが排泄物で汚れないため、封緘時の排泄物のはみだし、漏出を防ぐことができる。
【００４３】
簡易トイレ１からの排泄物漏出を防ぐため、折り返し袋部２０をねじる、寄せるなどして、収容・保存容器１０に留めつけることもできる。
【００４４】
その際、封緘部２２を封緘後、上端折り曲げ部２３を折り曲げ、上端折り曲げ部２３をタブ部１５と係合することで排泄物の漏出を防ぐことができる。
【００４５】
上端折り曲げ部２３とタブ部１５とを係合する際、上端折り曲げ部奥側２４とタブ部奥側１６、上端折り曲げ部手前側２５とタブ部手前側１７とを２辺の接線上で重ねる。
【００４６】
２辺の接線上で上端折り曲げ部２３とタブ部１５とを重ねたうえで、上端折り曲げ部係合部２６とタブ部係合部１８とを係合させる。これにより、上端折り曲げ部２３とタブ部１５との密着度をさらに高めることができる。
【００４７】
拭きとり部３０は、折り返し袋部２０の内側、裏面に設けられている。拭きとり部３０は、接着・粘着された状態で使用可能である。排泄後、収容・保存容器１０を手に握ったまま、収容・保存容器１０を排泄口後方へと移動することにより、折り返し袋部２０に接着・粘着された拭きとり部３０で排泄口近傍を拭きとることができる。
【００４８】
また、拭きとり部３０は、折り返し袋部２０から剥離して使用することもできる。拭きとり部３０の素材としては、紙・不織布等を用いることもできる。
【００４９】
簡易トイレ変形型１Ａは、簡易トイレ１の変形型である。簡易トイレ変形型１Ａは、折り返し袋部２０を寄せあわせた、寄せあわせ部２０Ａと、寄せあわせ部２０Ａをまとめて短冊状にした、差し込み部２０Ｂと、留め具１００と、を備える。
【００５０】
寄せあわせ部２０Ａは、折り返し袋部２０の上端である、袋部上端２１を寄せあわせたものである。
【００５１】
差し込み部２０Ｂは、寄せあわせ部２０Ａをまとめて短冊状にしたものである。
【００５２】
留め具１００は、収容・保存容器１０の側面に設けられている。留め具１００は、滑りどめ加工紙、またはラバー加工の素材などを用いることもできる。
【００５３】
差し込み部２０Ｂを、留め具１００に差し込むことで排泄物の漏出を防ぐことができる。
【００５４】
簡易トイレ変形型１Ｂは、簡易トイレ１の変形型である。簡易トイレ変形型１Ｂは、封筒型上端折り部２１Ａと、封筒型封緘部折り側２２Ａと、封筒型封緘部袋側２２Ｂと、を備える。
【００５５】
封筒型上端折り部２１Ａは、袋部上端２１の延長部である。封筒型上端折り部２１Ａの折り側裏面には、封筒型封緘部折り側２２Ａが設けられている。
【００５６】
封筒型封緘部折り側２２Ａは、封筒型上端折り部２１Ａに設けられた封緘部である。封筒型封緘部折り側２２Ａには、ビニールファスナー・チャックのような係合するもの、または接着・粘着する素材を使用することもできる。封筒型封緘部折り側２２Ａは、１ヶ所または複数ヶ所設けることができる。
【００５７】
封筒型封緘部袋側２２Ｂは、折り返し袋部２０の外側、表面に設けられた封緘部である。封筒型封緘部袋側２２Ｂには、ビニールファスナー・チャックのような係合するもの、または接着・粘着する素材を使用することもできる。封筒型封緘部袋側２２Ｂは、１ヶ所または複数ヶ所設けることができる。
【００５８】
封筒型上端折り部２１Ａを折り曲げると、封筒型封緘部折り側２２Ａと封筒型封緘部袋側２２Ｂとを係合することができる。これにより、封緘部２２を補完し、密着度さらに高め、簡易トイレ変形型１Ｂからの排泄物の漏出を防ぐことができる。
【００５９】
簡易トイレ１は、一回使用毎に封緘・密閉することもできる。これにより、収容・保存用器開口部周辺に被収容物が付着、被収容物の漏出による感染症を防ぐことができる。
【００６０】
従来の簡易トイレは、不特定多数の人に、複数回使用される場合が多く、不衛生かつ感染症の恐れもあった。個人のプライバシーも損なわれるため、トイレに行く回数を控えるなど、健康面にも悪影響を及ぼしていた。
【００６１】
本実施形態の簡易トイレ１は、小型で携帯・折りたたみ可能、組立ての時間・手間・設置スペースを必要とせず、更に、一回毎の使い切り容器とすることで、個人の尊厳を守り、排泄物を衛生的に収容、下水処理施設が崩壊した際にも土壌への埋設により緊急時のＱＯＬの向上をはかることができる。
【００６２】
また、簡易トイレ１は、自動車車内で使用することもできる。その際、自動車車内のポケットにコンパクトに収納することが可能で、緊急時・必要な際の組立・使用が簡便なものとなる。簡易トイレ１は、簡易トイレとしてだけではなく、ドライブ時の車酔いによる嘔吐袋としても利用することができる。
【００６３】
簡易トイレ１は、飲食・食品業界等検便の義務づけられている業種の検体採取も可能である。飲食・食品業界等の業種では、月毎など頻繁な検便が義務づけられているが、便器内に排泄した排泄物は、便器内の水溜まり部に容易に落下しやすく、検体としての採取が困難であった。簡易トイレ１の使用で、排泄物の中核から、トイレ排水に触れていない、未酸化状態の検体採取が可能となる。
【００６４】
簡易トイレ１は、国内だけでなく途上国等近隣に検査機関のない地域でも、検体を採取・収容して検査機関へ輸送することができる。ヒトまたは動物の排泄物・嘔吐物・唾液等も収容して検査機関まで輸送することができる。これにより、遠隔地における感染性の特定が可能となる。
【符号の説明】
【００６５】
１  簡易トイレ
１Ａ  簡易トイレ変形型
１Ｂ  簡易トイレ変形型
１０  収容・保存容器
１１  おりたたみ線
１２  太腿付け根用欠き込み
１３  排泄口近傍用欠き込み
１５  タブ部
１６  タブ部奥側
１７  タブ部手前側
１８  タブ部係合部
１９  簡易トイレ使用図
２０  折り返し袋部
２０Ａ  寄せあわせ部
２０Ｂ  差し込み部
２１  袋部上端
２１Ａ  封筒型上端折り部
２２  封緘部
２２Ａ  封筒型封緘部折り側
２２Ｂ  封筒型封緘部袋側
２３  上端折り曲げ部
２４  上端折り曲げ部奥側
２５  上端折り曲げ部手前側
２６  上端折り曲げ部係合部
３０  拭きとり部
１００  留め具
【図１】
2016013235.tif 000003
【図２】
2016013235.tif 000004
【図３】
2016013235.tif 000005
【図４】
2016013235.tif 000006
【図５】
2016013235.tif 000007
【図６】
2016013235.tif 000008
【図７】
2016013235.tif 000009
【図８】
2016013235.tif 000010